(57)【要約】      （修正有）【課題】一般に使用されている粘着テープを使用する除塵用クリーナーを提供する。【解決手段】除塵用クリーナーは、一巻きにしたテープ４０を円盤ホルダ１０の収納空間内に入れ、ホルダエッジ１２の隙間１３からテープ帯状体４１を円盤ホルダ１０に延伸させ、テープ帯状体の粘着面を外側に向ける方式でテープ帯状体を円盤ホルダのホルダエッジの外周に逆に巻きつけた後、嵌合部品２０をテープ帯状体の重なり合っている箇所に圧して嵌着させることで、ホルダエッジの外周に逆向きに巻き付いているテープ帯状体を圧して固定させる。また、円盤ホルダ１０のホルダエッジ１２を覆うテープ帯状体４１の粘着面が構成する粘着素材は、塵や埃、毛髪、糸くず等のゴミを粘着するローラー式除塵用クリーナーとして使用される。【選択図】図１
0003179033.tif 000002
【実用新案登録請求の範囲】
【請求項１】
円盤ホルダ、蓋板、及び少なくとも一つの嵌合部品を含む除塵用クリーナーにおいて、
前記円盤ホルダには、テープの側面にほぼぴったり結合するホルダ背部を備え、該ホルダ背部の周囲には、テープ帯状体を取り囲むホルダエッジを繞設し、該ホルダエッジ及びホルダ背部で、巻きつけたテープを収めるための収納空間を構成し、上記ホルダエッジには、収納空間の隙間から貫通する少なくとも一つの隙間を設け、該ホルダエッジには収納空間に窪むカッター床部を設け、
前記蓋板は、上記円盤ホルダの上記ホルダ背部に向き合う反対側に設け、該蓋板の開閉を繰り返し行え、
前記嵌合部品は、側面縁に、上記カッター床部に挿入されるカッター板を設け、上記蓋板に設けた外側は、上記円盤ホルダの縁箇所を圧して嵌着し、着脱及びテープのカットを繰り返し行えることを特徴とする除塵用クリーナー。
【請求項２】
前記円盤ホルダの縁の隙間箇所には、嵌合部品を向き合わせて嵌入させるための凹部を設けることを特徴とする請求項１に記載の除塵用クリーナー。
【請求項３】
前記円盤ホルダは、そのホルダ背部の中心箇所に、ハンドルを嵌入する軸棒を設けることを特徴とする請求項１に記載の除塵用クリーナー。
【請求項４】
前記円盤ホルダは、そのホルダ背部に向き合う反対側に、繰り返し開閉できる蓋板を設けることを特徴とする請求項１に記載の除塵用クリーナー。
【請求項５】
前記カッター板の末端には少なくとも一つの突出部を形成することを特徴とする請求項１に記載の除塵用クリーナー。
【考案の詳細な説明】
【技術分野】
【０００１】
本考案は、塵や埃の除去装置に関し、特に、通常使用されている普通の粘着テープを塵や埃除去用のテープとして使用する除塵用クリーナーに係る。
【背景技術】
【０００２】
一般の日常生活の環境、或いは加工生産の環境には、塵や埃、毛髪、粉塵等の汚れが充満しているが、これらの物質が非常に小さく、肉眼で見られないために軽視されがちである。しかし、これらの汚い物質はどんな物品の表面にも付着し易く、しかも、その積み重ねが一定のレベルに達した時、当然ながら物品の外観に好ましくない影響を与えることになる。
【０００３】
よって、家庭や事務所の殆どには、環境や個人の物品の清潔を保つための掃除用具が備えられている。以前の掃除用具は、箒、モップ、掃除機が主であり、従来の掃除用具は、主に大面積の汚れをきれいにする物で、直接、衣服の上の汚れに使用するのには適さなかった。
【０００４】
近年、市場には粘着方式を用いて物品を掃除するローラークリーナーが出現した。その粘着部の設置方式は主に、巻きつけた専用テープを設け、別に取っ手を備え、巻きつけた専用テープを嵌設してローラーを形成するもので、使用者は粘着方式で便利に衣類、絨毯、床上の塵や埃、毛髪、糸くず等のゴミを処理できる。
【０００５】
但し、公知のローラークリーナーの多くは専用の除塵テープを組み合わせて使用しているが、それぞれのメーカーの専用除塵テープが同一の店で販売されているとは限らない。しかも、専用除塵テープの価格は通常、一般の普通の粘着テープの販売価格より高く、消費者は気付かない内に消費コスト及び消耗材選択の不便性を高めている。
【考案の概要】
【考案が解決しようとする課題】
【０００６】
本考案は、通常使用されている普通の粘着テープを塵や埃除去用のテープとして使用する除塵用クリーナーの提供を主な目的とする。
【課題を解決するための手段】
【０００７】
上述した目的を達成するために、本考案の除塵用クリーナーは基本的に、円盤ホルダ、蓋板、及び嵌合部品（カッター板を含む）を備える。その内、円盤ホルダには、テープの側面にほぼぴったり結合するホルダ背部を備え、ホルダ背部の周囲には、テープ帯状体を取り囲むホルダエッジを繞設し、ホルダエッジ及びホルダ背部で、巻きつけたテープを収めるための収納空間を構成する。また、円盤ホルダのホルダエッジには、収納空間から貫通する少なくとも一つの隙間を設け、ホルダエッジには収納空間に窪むカッター床部を設ける。前記蓋板は円盤ホルダのホルダ背部に向き合う反対側に設け、蓋の開閉を繰り返し行える。少なくとも一つの嵌合部品（カッター板を含む）は、円盤ホルダのホルダエッジ箇所を圧して嵌着し、尚且つ着脱及びテープのカットが繰り返し行える。
【０００８】
本考案の除塵用クリーナーを使用する時は、前述構造の特徴を用い、一巻きにしたテープを円盤ホルダの収納空間内に入れ、嵌合部品を取り外した状態において、ホルダエッジの隙間からテープ帯状体を円盤ホルダに延伸させ、テープ帯状体の粘着面を外側に向ける方式でテープ帯状体を円盤ホルダのホルダエッジの外周に逆に巻きつけた後、嵌合部品をテープ帯状体の重なり合っている箇所に圧して嵌着させることで、ホルダエッジの外周に逆向きに巻き付いているテープ帯状体を圧して固定させ、並びに、テープ帯状体をカットする。円盤ホルダのホルダエッジを覆うテープ帯状体の粘着面が構成する粘着素材は、塵や埃、毛髪、糸くず等のゴミを粘着するローラー式除塵用クリーナーとして使用される。
【０００９】
円盤ホルダの外側周囲に逆に巻き付けて使用したテープ帯状体に粘着性がなくなった場合は、嵌合部品を取り外して、使用したテープ帯状体を直接剥がして取り除く。その後、改めて未使用のテープ帯状体４１を引っ張り出して、テープ帯状体を繰り返し使用する更新動作を迅速に行うと、除塵用クリーナー全体に除塵機能が回復される。
【００１０】
前述した構造の特徴によると、前記円盤ホルダは、ホルダエッジの隙間箇所に、嵌合部品を向き合わせて嵌入させるための凹部を設ける。
【００１１】
前述した構造の特徴によると、前記円盤ホルダはそのホルダ背部の中心箇所にハンドルを嵌入した軸棒を設ける。
【００１２】
前述した構造の特徴によると、前記円盤ホルダはホルダ背部に向き合う反対側に、繰り返し開閉できる蓋板を設ける。
【００１３】
前述した構造の特徴によると、カッター板の末端には少なくとも一つの突出部を形成する。
【考案の効果】
【００１４】
具体的に言えば、前述の構造設計を用いた本考案の除塵用クリーナーは、主に、気軽に身近な粘着テープを除塵テープとして使用させることで、消費材コストを大幅に削減するとともに、一般の粘着テープの取得が容易であるため、メーカーの違いによって選択上の差異を生じさせず、確実にコスト削減、及び使用上の便利性向上という効果を実現する。
【図面の簡単な説明】
【００１５】
【図１】本考案除塵用クリーナーの実施例の分解図である。
【図２】本考案除塵用クリーナーの実施例での使用状態図である。
【図３】本考案除塵用クリーナーの実施例の外観構造図である。
【図４】本考案実施例の嵌合部品を開けた状態の構造図である。
【図５】本考案実施例の嵌合部品でカットを行っている状態の構造図である。
【図６】本考案実施例の嵌合部品でカットを行った後に開けた上体の構造図である。
【図７】本考案実施例のカッター板構造の拡大図である。
【考案を実施するための形態】
【００１６】
本考案の特徴は、本図面と実施例を参照とした詳細説明により深くご理解戴けることだろう。
【００１７】
図１に示した本考案の除塵用クリーナーの構造の分解図において、本考案の除塵用クリーナーは基本的に、円盤ホルダ１０、蓋板１５、及び嵌合部品２０を含む。
【００１８】
前記円盤ホルダ１０には、テープ４０の側面にほぼぴったり結合するホルダ背部１１を備え、ホルダ背部１１の周囲には、テープ帯状体４１を取り囲むホルダエッジ１２を繞設し、主に、ホルダエッジ１２及びホルダ背部１１で、巻きつけたテープ４０を収めるための収納空間を構成する。円盤ホルダ１０のホルダエッジ１２には、収納空間から貫通する少なくとも一つの隙間１３を設け、ホルダエッジ１２には収納空間に窪むカッター床部１７を設ける。前記円盤ホルダ１０のホルダ背部１１に向き合う反対側に、繰り返し開閉できる蓋板１５を設ける。前記蓋板１５の内側面にはハンドル３０に嵌合する突出環状体１５１を設ける。円盤ホルダ１０には更に、ハンドル３０と突出環状体１５１の間に嵌着構造を設けて蓋板１５の結合効果を高め、蓋板１５によって内部に収めたテープ４０に好ましい隠蔽作用をもたらし、テープ４０使用時の落下を防ぐ。
【００１９】
少なくとも一つの嵌合部品２０は、円盤ホルダ１０のホルダエッジ１２箇所を圧して嵌着し、着脱が繰り返し行える。嵌合部品２０は、その縁にカッター床部１７に挿入されるカッター板２１を設ける。実施時、前記円盤ホルダ１０は、ホルダエッジ１２の隙間１３箇所に、嵌合部品２０を向き合わせて嵌入させるための凹部１４を設け、嵌合部品２０と円盤ホルダ１０の結合強度を高める。
【００２０】
原則的に、本考案の除塵用クリーナーを使用する際は、図２及び図３に示すとおり、一巻きにしたテープ４０を該円盤ホルダ１０の収納空間内に入れる。図４に示すとおり、嵌合部品を取り外した状態において、ホルダエッジ１２の隙間１３からテープ帯状体４１を円盤ホルダに延伸させ、テープ帯状体４１の粘着面を外側に向ける方式でテープ帯状体４１を円盤ホルダ１０のホルダエッジ１２の外周に逆に巻きつけた後、嵌合部品２０をテープ帯状体４１の重なり合っている箇所に圧して嵌着させることで、ホルダエッジ１２の外周に逆向きに巻き付いているテープ帯状体４１を圧して固定させ、並びに、カッター板２１でテープ帯状体４１をカットする。図５に示すとおり、円盤ホルダ１０のホルダエッジ１２を覆うテープ帯状体４１の粘着面が構成する粘着素材は、ローラー回転方式で塵や埃、毛髪、糸くず等のゴミを粘着するローラー式除塵用クリーナーとして使用される。
【００２１】
円盤ホルダの外側周囲に逆に巻き付けて使用したテープ帯状体に粘着性がなくなった場合は、図６に示すとおり、嵌合部品を取り外して、使用しカットしたテープ帯状体を直接剥がして取り除く。その後、改めてきれいなテープ帯状体４１を引っ張り出して、テープ帯状体を繰り返し使用する更新動作を迅速に行うと、除塵用クリーナー全体に除塵機能が回復される。当然ながら、カット後に凹部１４上方に留まっているテープ帯状体４１は予め残し、テープ帯状体をホルダエッジの隙間１３から引っ張り出したものとして使用する。
【００２２】
図２及び図３に示した実施例において、円盤ホルダ１０のホルダ背部１１の中心箇所に配置した軸棒１１１は好ましくは、中空軸棒とする。同様に、蓋板１１内側面の突出環状体１５１は好ましくは、中空突出環状体とするため、指を軸棒１１１と突出環状体１５１に挿入して円盤ホルダ１０を回転させられ、除塵用クリーナー全体の使用における便利性を高められる。
【００２３】
当然ながら、本考案の除塵用クリーナーは、円盤ホルダ１０のホルダ背部１１の中心箇所に配置した軸棒１１１が中空軸棒の形態である中、図２と図３に示すとおり、蓋板１５の内側面には、円盤ホルダ１０のホルダエッジ１２に接合し合う突出縁部１５２を設け、蓋板１５の中心には突出環状体１５１を設ける。また、ハンドル３０は円盤ホルダ１０のホルダ背部１１の外側から円盤ホルダ１０の軸棒１１１を貫通し、蓋板１５の突出環状体１５１に連結するため、直接、ハンドル３０を握ることにより、円盤ホルダ１０を回転させて除塵動作を行うことができる。
【００２４】
さらに、前述した各種実施例の構造型態において、図７に示したものは、カッター板２１の末端に少なくとも一つの突出部２２を形成し、突出部２２によってカット効果を強化する。
【００２５】
従来型の公知ローラークリーナーと比較すると、本考案の除塵用クリーナーは主に前述の構造設計を用い、気軽に手元にある粘着テープを除塵テープとして使用することができ、消費材のコストを大幅に削減する。尚且つ、一般の粘着テープは容易に取得でき、メーカーが異なることで選択上の差異が引き起こされることもなく、確実に、コスト削減の目的を達成することができる。また、隙間、カッター床部、カッター板を対応位置に配置することで、使用済みのテープ帯状体と未使用のテープ帯状体を同時にカットするため、使用上の便利性を高めることができる。
【００２６】
上述をまとめると、本考案は、好ましい実施が可能な除塵用クリーナーを提供し、ここに、特許法に依拠し実用新案の出願を行う。本考案の技術内容及び技術の特徴はすでに前述に開示した通りであるが、本技術の熟知者が本考案の開示に基づいて本考案の精髄を逸脱しない交換や修飾を行うことは可能である。よって、本考案の保護範囲は実施例の開示に制限されないものとし、本考案を逸脱しない各種交換や修飾は、次の実用新案登録請求の範囲に含まれるものとする。
【符号の説明】
【００２７】
１０    円盤ホルダ
１１    ホルダ背部
１１１  軸棒
１２    ホルダエッジ
１３    隙間
１４    凹部
１５    蓋板
１５１  突出環状体
１５２  突出縁部
１７    カッター床部
２０    嵌合部品
２１    カッター板
２２    突出部
３０    ハンドル
４０    テープ
４１    テープ帯状体
４２    軸孔
【図１】
0003179033.tif 000003
【図２】
0003179033.tif 000004
【図３】
0003179033.tif 000005
【図４】
0003179033.tif 000006
【図５】
0003179033.tif 000007
【図６】
0003179033.tif 000008
【図７】
0003179033.tif 000009